(57)【特許請求の範囲】
【請求項１】
遊技球が通過又は入賞可能な球通路を有する部品本体と、前記球通路を通過する遊技球を検出する球検出スイッチと、該球検出スイッチの左右両側で前記部品本体の裏側に配置された表示素子とを含む遊技部品を遊技盤に備えた弾球遊技機において、前記球検出スイッチの裏側に該球検出スイッチの左右両側に跨がる表示基板を配置し、該表示基板に前記球検出スイッチの左右両側に配置された前記表示素子を設け、前記部品本体はその裏側に前記球検出スイッチを取り囲んで設けられ且つ左右の前記表示素子の発光時の光の拡散を防止する周壁部と、該周壁部の左右両端部から前記球検出スイッチよりも後方に突出し且つ前記表示基板の両端部が裏側から当接する少なくとも左右一対の取り付け部と、前記表示基板の中間に係脱自在に係合して該表示基板を前記取り付け部に裏側から固定するための係合爪と、前記球検出スイッチを係脱自在に係止する係止爪とを備え、前記係合爪及び前記係止爪は前記取り付け部間で前記球検出スイッチの両側に配置され且つ前記周壁部の上下の壁部と一体に形成されて後方に突出することを特徴とする弾球遊技機。
【請求項２】
前記一対の取り付け部の内、一方の取り付け部に前記表示基板をネジにより着脱自在に固定し、他方の前記取り付け部に前記表示基板を位置決めする位置決め突起を設けたことを特徴とする請求項１に記載の弾球遊技機。
【請求項３】
前記部品本体は、前記遊技盤の前面に当接する前飾り板と、該前飾り板から前面に突出する上下方向の前記球通路と、前記球通路の左右両側に前後方向に形成され且つ裏側から前記球検出スイッチが挿入されるスイッチ保持溝と、前記球検出スイッチの左右方向の一側で前記前飾り板から後方に突出し前記スイッチ保持溝に挿入された前記球検出スイッチを係脱自在に係止する前記係止爪と、前記球検出スイッチの左右方向の一側で前記前飾り板から後方に突出する前記係合爪と、前記表示基板の両端側で前記前飾り板から後方に突出する一対の前記取り付け部とを備えたことを特徴とする請求項１又は２に記載の弾球遊技機。
【発明の詳細な説明】
【技術分野】
【０００１】
本発明は、パチンコ機等の弾球遊技機に関するものである。
【背景技術】
【０００２】
パチンコ機において、複数個の特別図柄と演出画像とを表示可能な画像表示手段を遊技盤の略中央部に配置すると共に、この画像表示手段の周辺部に、その表示画面を通る方向の一直線上に複数個の表示素子を配列した統合演出用表示部を備え、画像表示手段の表示画面上の演出画像と、統合演出用表示部の各表示素子による発光表示とを統合して所定の遊技状態を統合演出するようにしたものがある（特許文献１）。
【０００３】
例えば、遊技盤の遊技領域内の図柄始動手段が遊技球を検出することを条件に主制御手段で乱数値を抽選し、その乱数値に基づいて決定された変動パターンに関するコマンドを主制御手段から画像制御手段へと送信する。そして、画像制御手段では特定コマンドか否かの判定を行い、特定コマンドの場合に画像表示手段の演出画像と、統合演出用表示部の表示素子による発光表示とにより、スーパーリーチ、大当たり、その他の遊技状態を演出する統合演出を行う。
【特許文献１】特許第３９９８５９４号公報
【発明の開示】
【発明が解決しようとする課題】
【０００４】
従来の統合演出用表示部は画像表示手段の表示ケースの周縁部に一直線状に設けており、表示ケースから外側に大きく突出する構造になっている。このため遊技盤の組み立て等に際しては、その統合演出用表示部が折損しないように画像表示手段を慎重に取り扱う必要がある等、作業性に欠けるという問題がある。
【０００５】
このような問題に対する対策として画像表示手段の周辺近傍に配置される他の遊技部品、例えばゲート式の図柄始動手段に統合演出用表示部を一体化することが考えられる。これは図柄始動手段の裏側等に統合演出用表示部を一体的に組み込むと、遊技盤の組み立て等に際しての画像表示手段の取り扱いが容易になり、また図柄始動手段を遊技盤に取り付ければ、統合演出用表示部の取り付けも同時に可能であり作業性も向上する。
【０００６】
しかし、図柄始動手段に組み込む場合は、次のような問題が考えられる。図柄始動手段は、部品本体の中央に球通路が設けられると共に、この球通路を通過する遊技球を検出する球検出スイッチが設けられている。このため球検出スイッチを挟んでその左右両側に表示素子を配置するとした場合、球検出スイッチの左右両側に、表示素子が装着された表示基板を別々に設ける必要があり、図柄始動手段側の組み立て工数が大幅に増加する惧れがある。
【０００７】
本発明は、このような問題点に鑑み、球検出スイッチの両側に跨がって表示素子が配置された遊技部品を少ない組み立て工数で容易且つ能率的に組み立てることができる弾球遊技機を提供することを目的とする。
【課題を解決するための手段】
【０００８】
本発明は、遊技球が通過又は入賞可能な球通路を有する部品本体と、前記球通路を通過する遊技球を検出する球検出スイッチと、該球検出スイッチの左右両側で前記部品本体の裏側に配置された表示素子とを含む遊技部品を遊技盤に備えた弾球遊技機において、前記球検出スイッチの裏側に該球検出スイッチの左右両側に跨がる表示基板を配置し、該表示基板に前記球検出スイッチの左右両側に配置された前記表示素子を設け、前記部品本体はその裏側に前記球検出スイッチを取り囲んで設けられ且つ左右の前記表示素子の発光時の光の拡散を防止する周壁部と、該周壁部の左右両端部から前記球検出スイッチよりも後方に突出し且つ前記表示基板の両端部が裏側から当接する少なくとも左右一対の取り付け部と、前記表示基板の中間に係脱自在に係合して該表示基板を前記取り付け部に裏側から固定するための係合爪と、前記球検出スイッチを係脱自在に係止する係止爪とを備え、前記係合爪及び前記係止爪は前記取り付け部間で前記球検出スイッチの両側に配置され且つ前記周壁部の上下の壁部と一体に形成されて後方に突出するものである。
【発明の効果】
【０００９】
本発明によれば、球検出スイッチの両側に跨がって表示素子が配置された遊技部品を少ない組み立て工数で容易且つ能率的に組み立てることが可能である。
【発明を実施するための最良の形態】
【００１０】
以下、本発明の実施形態を図面に基づいて詳述する。図１〜図９は本発明をパチンコ機に採用した第１の実施形態を例示している。図１、図２において、１は遊技機本体で、矩形状の外枠２と、この外枠２の前側にヒンジ３廻りに開閉自在に枢着された前枠４とを備えている。
【００１１】
前枠４の下部には左端のヒンジ廻りに開閉自在な開閉扉５と、発射手段を作動させるための発射ハンドル６と、開閉扉５の前面に装着され且つ発射手段へと発射用の遊技球を供給する球供給皿７と、余剰球を受ける受け皿８等が設けられている。前枠４には開閉扉５の上側に左端のヒンジ廻りに開閉自在なガラス扉９が配置され、またガラス扉９の裏側に遊技盤装着枠を介して遊技盤１０が前側から着脱自在に装着されている。
【００１２】
ガラス扉９は遊技盤１０を前面側から覆い、また遊技盤１０の遊技領域１１（図２参照）を透視可能にガラス板が装着されている。開閉扉５、ガラス扉９は前枠４のヒンジ３と略同一軸心上に配置されたヒンジにより開閉自在である。
【００１３】
遊技盤１０の前面側には、図２に示すように、発射手段からの遊技球を遊技領域１１の上部側へと案内する外レール１２、内レール１３等のガイドレールが装着されると共に、その遊技領域１１内に液晶表示手段（画像表示手段）１４、普通図柄表示手段１５、特別図柄表示手段１６、普通図柄始動手段１７、特別図柄始動手段１８、大入賞手段１９、普通入賞手段２０等の各種の遊技部品が装着されている。
【００１４】
液晶表示手段１４は遊技盤１０に装着された表示ケース２１と、この表示ケース２１に裏側から装着された液晶表示部２２とを有し、その液晶表示部２２の表示画面には、特別図柄始動手段１８の遊技球の検出を条件に所定時間変動して停止する３個の演出図柄２３を表示する等、各種演出用の画像を表示するようになっている。
【００１５】
普通図柄表示手段１５は保留個数表示手段２４と近接して表示ケース２１に装着された２個の表示素子１５ａ，１５ｂを備え、普通図柄始動手段１７の遊技球の検出を条件に表示素子１５ａ，１５ｂが所定時間交互に点滅発光し、その一方の表示素子１５ａが発光状態で停止したときに当たりとなり、一方の表示素子１５ｂが発光状態で停止したときに外れとなる。
【００１６】
特別図柄表示手段１６は、保留個数表示手段２５と近接して表示ケース２１に装着された７セグメント式等の表示手段により構成され、特別図柄始動手段１８の遊技球の検出を条件に特別図柄を所定時間変動表示し、変動後に特別図柄が大当たり図柄、外れ図柄の何れかで停止するようになっている。なお、演出図柄２３は特別図柄と同期して停止するようになっており、特別図柄が大当たり図柄で停止したときには３個が一致又は同種の大当たり図柄を停止表示し、外れ図柄で停止したときには外れ図柄を停止表示する。
【００１７】
特別図柄始動手段１８は始動入賞口２６，２７と球検出スイッチ２８，２９とを上下に有し、上側の始動入賞口２６は常開式であり、下側の始動入賞口２７は左右一対の開閉部材３０を備えた開閉式である。球検出スイッチ２８，２９は始動入賞口２６，２７に入賞した遊技球を検出して、特別図柄表示手段１６の特別図柄、液晶表示手段１４の演出図柄２３を夫々所定時間変動させるためのものである。
【００１８】
大入賞手段１９は開閉板３１を有し、変動後の特別図柄表示手段１６の特別図柄が大当たり図柄で停止する大当たりが発生したときに開閉板３１が前側に所定回数開放して、上側から落下する遊技球を大入賞口３２へと案内するようになっている。
【００１９】
普通図柄始動手段１７は遊技盤１０の上下方向の略中央等の所定位置において、内レール１３と液晶表示手段１４との中間近傍に配置されており、この普通図柄始動手段１７を通過する遊技球を球検出スイッチが検出することを条件に普通図柄表示手段１５の普通図柄を所定時間変動させるようになっている。
【００２０】
この普通図柄始動手段１７は、図３〜図９に示すように、遊技盤１０に装着され且つ球通路３３が形成された部品本体３４と、部品本体３４の裏側から装着され且つ球通路３３を通過する遊技球を検出する球検出スイッチ３５と、この球検出スイッチ３５の裏側でその左右両側に跨がって左右方向に配置された表示基板３６と、球検出スイッチ３５の左右両側で表示基板３６の前面側に装着された左右方向に複数の表示素子３７とを備えている。
【００２１】
表示基板３６は左右方向に長い矩形帯状であって、複数のＬＥＤ等の表示素子３７が球検出スイッチ３５の両側に対応して左右方向に横一列状に取り付けられ、またその一端側に取り付け孔３８が、球検出スイッチ３５と一方の表示素子３７との間に係合孔３９が形成されている。
【００２２】
各表示素子３７はその点滅発光等の発光表示により液晶表示部２２の演出画像２３ａと統合して統合演出を行う統合演出用表示部を構成するものである。なお、この実施例では、球検出スイッチ３５の左右で表示素子３７の数が異なっているが、球検出スイッチ３５の両側に配置される表示素子３７の数は左右逆にしてもよいし、左右同数にしてもよい。勿論、単数、複数の何れでもよい。
【００２３】
部品本体３４は、遊技盤１０の前面に当接する前飾り板４０と、この前飾り板４０の左右方向の略中央から前側に突出して角形に形成され且つ球通路３３が上下方向に貫通して形成された通過部４１と、この通過部４１の左右両側で前飾り板４０に形成された発光部４２と、前飾り板４０の裏側に左右方向に長い偏平筒状に形成された周壁部４３と、球検出スイッチ３５を裏側から着脱自在に挿入保持するスイッチ保持溝４４と、スイッチ保持溝４４に挿入された球検出スイッチ３５を係脱自在に係止する係止爪４５と、球検出スイッチ３５の後端よりも後方へと周壁部４３の左右両端部側から後方に突出する左右一対の取り付け部４６，４７と、取り付け部４６，４７の後端に当接する表示基板３６に係脱自在に係合する係合爪４８とを有する。
【００２４】
前飾り板４０には対角線方向の両側に位置決めピン４９、取り付け孔５０が形成されており、前飾り板４０は位置決めピン４９により遊技盤１０に対して位置決めされ、その取り付け孔５０に挿入されるネジ６０等により遊技盤１０に固定されている。
【００２５】
通過部４１は前飾り板４０の左右方向の略中央よりも外側、即ち内レール１３側に偏位して配置され、この通過部４１と内レール１３との間には少なくとも遊技球が上から下へと通過可能な距離がある。
【００２６】
発光部４２は正面視において通過部４１に対して略左右方向の直線状となるように、通過部４１の左右両側に配置されている。また発光部４２は表示素子３７の発光時に乱反射等によって前面側の発光状態をよくし、また内部を透視し難くすべく前面側（又は裏面側）が粗面状に形成されている。
【００２７】
スイッチ保持溝４４は球通路３３を左右、前の三方から取り囲むように通過部４１内に形成され、このスイッチ保持溝４４に後方から球検出スイッチ３５が挿脱自在に挿入されている。通過部４１は内レール１３と反対側に、球通路３３に入らなかった遊技球を遊技領域１１の内側へと案内する傾斜案内面５１が形成されている。傾斜案内面５１は球検出スイッチ３５よりも液晶表示手段１４側にあり、その内部は中空部５２となっている。球検出スイッチ３５には、球通路３３に対応して遊技球の通過孔５３が形成されている。
【００２８】
周壁部４３はその前後の発光部４２と表示素子３７とに対応しており、表示素子３７の発光時の光の拡散を防止して発光部４２の発光状態を良くするためのものであり、前飾り板４０の裏面に一体に設けられている。取り付け部４６は周壁部４３の左右方向の一端側から後方に突出して円柱状に構成されている。取り付け部４７は周壁部４３の左右方向の他端側の形状に沿って後方に突出する背面視Ｕ字状であり、そのＵ字状等の取り付け部４７の屈曲側に、表示基板３６を位置決めする位置決め突起５４が後方に突出して一体に設けられている。
【００２９】
表示基板３６は左右の取り付け部４６，４７の後端に裏側から当接して、裏側から取り付け孔３８に挿入されるネジ５９により取り付け部４６に着脱自在に固定され、また係合爪４８がその係合孔３９に係脱自在に係合されている。
【００３０】
係止爪４５、係合爪４８は左右のスイッチ保持溝４４の側面に沿って周壁部４３の上下の壁部から後方に突出している。係止爪４５は左右方向の中央近傍に配置され、係合爪４８は係止爪４５に対して球検出スイッチ３５を挟んで位置決め突起５４側に偏位して配置されている。そして、係止爪４５、係合爪４８は球検出スイッチ３５側に係合部４５ａ，４８ａ、傾斜案内部４５ｂ，４８ｂを有する。位置決め突起５４は表示基板３６の端面に近接している。
【００３１】
なお、表示基板３６の上下幅は周壁部４３、取り付け部４６，４７の上下幅と略同じ程度である。また周壁部４３と表示基板３６との間には、取り付け部４６，４７の突出高さ分の隙間があり、その隙間から球検出スイッチ３５のハーネス（図示省略）を引き出すようになっている。
【００３２】
統合演出に際しては、例えば表示素子３７は発光位置が一方向（又は双方向）に繰り返し移動する等の態様で点滅発光し、液晶表示手段１４はこれに同期して表示画面に稲妻その他の演出画像２３ａを表示し、その発光表示と演出画像２３ａとにより一つのまとまりのある統合演出を行う。
【００３３】
上記構成のパチンコ機によれば、普通図柄始動手段１７に統合演出用表示部を組み込むことにより、液晶表示手段１４の表示ケース２１の周縁部に従来のように大きく突出するものがなくなり、遊技盤１０に対して液晶表示手段１４を取り付ける際の取り扱いを容易に行うことができる。
【００３４】
また普通図柄始動手段１７を遊技盤１０に取り付ける際には、その周壁部４３、表示基板３６側を遊技盤１０の装着孔５６に前側から挿入し、前飾り板４０を遊技盤１０の前面に当接してネジ等で遊技盤１０に固定すれば、統合演出用表示部を構成する表示素子３７も同時に取り付けることができ、統合演出用表示部を構成する表示素子３７が普通図柄始動手段１７側にあるにも拘わらず、組み立てが別段煩雑になることもない。
【００３５】
更に統合演出用表示部を普通図柄始動手段１７に一体化するに当たって、表示基板３６を球検出スイッチ３５の裏側で左右方向に配置し、この表示基板３６に各表示素子３７を装着しているので、球検出スイッチ３５の両側に表示素子３７があるにも拘わらず、各表示素子３７を１個の表示基板３６に装着でき、表示素子３７の表示基板３６に対する装着、表示基板３６の普通図柄表示手段１５に対する取り付け等もそれだけ容易にできる。
【００３６】
普通図柄始動手段１７を組み立てる際には、一体構造の部品本体３４のスイッチ保持溝４４内に裏側から球検出スイッチ３５を挿入し、この球検出スイッチ３５の後端側に係止爪４５の係合部４５ａを係合する。次に、例えば図８に二点鎖線で示すように表示基板３６の端縁を位置決め突起５４に当てて取り付け部４７に裏側から当接する。その後、係合爪４８を係合孔３９に挿入し表示基板３６と係合させて、表示基板３６を各取り付け部４６，４７の裏側に沿って当接させる。そして、取り付け孔３８に挿入したネジ５９を取り付け部４６に螺合して表示基板３６を固定する。このため普通図柄表示手段１５側の組み立ても容易に行うことができる。
【００３７】
また係止爪４５と係合爪４８とを球検出スイッチ３５の両側のスイッチ保持溝４４に対応して配置し、しかもその係合部４５ａ，４８ａ、傾斜案内部４５ｂ，４８ｂを球検出スイッチ３５側に設けているため、合成樹脂材で部品本体３４を成型する場合にも、通過部４１の前面側に成型用の孔ができる程度で極く容易に製作できる。なお、通過部４１の前面には、成型用の孔を覆うようにシール等の装飾材５７が貼着されている。
【００３８】
ゲームに際しては、普通図柄始動手段１７の球通路３３を遊技球が通過すると、球検出スイッチ３５がその遊技球を検出して普通図柄表示手段１５の普通図柄が所定時間変動し、その後に当たり図柄又は外れ図柄で停止する。普通図柄が当たり図柄で停止すれば、特別図柄始動手段１８の開閉部材３０が所定時間開放する。特別図柄始動手段１８の何れかの始動入賞口２６，２７に遊技球が入賞すると、球検出スイッチ２８，２９が遊技球を検出して特別図柄表示手段１６の特別図柄が所定時間変動する。この特別図柄の変動に同期して液晶表示手段１４に表示される演出図柄２３が変動する。
【００３９】
球検出スイッチ２８，２９が遊技球を検出したときに、遊技動作の制御を行う主制御手段側で乱数値を抽選して大当たり、外れの判定を行い、その判定結果に基づいて表示制御手段側へとコマンドを送信する。そのコマンドが統合演出コマンドであれば、表示制御手段の制御により液晶表示手段１４の表示画面に演出画像２３ａが表示され、また表示制御手段の制御により統合演出用表示部の各表示素子３７が点滅発光して、その両者により一つの統合演出を行う。
【００４０】
表示素子３７が発光すると、前飾り板４０の発光部４２が各表示素子３７の発光に同期して乱反射的に発光する。なお、発光部４２の発光表示はその時点の遊技状態を視覚的に演出するものであり、その遊技状態は視覚的演出を要するものであれば十分である。例えば、スーパーリーチ、大当たりの予告、その他どのような遊技状態でもよい。
【００４１】
図１０、図１１は本発明の第２の実施例を例示する。この実施例では、周壁部４３の左右両端部に、その形状に沿って後方に突出する取り付け部４７と位置決め突起５４とが設けられ、また左右の取り付け部４７間の略中央に係合爪４８を、反対側に係止爪４５が夫々設けられている。表示基板３６の左右方向の両端には、位置決め突起５４と対応する位置決め凹部５８が設けられている。
【００４２】
この場合には、表示基板３６の一方の位置決め凹部５８を一方の位置決め突起５４に合わせた後、係合爪４８を係合孔３９に挿入しながら、表示基板３６の両端部を取り付け部４７に裏側から当接させる。そして、表示基板３６の中央側が若干前側に弾性変形した状態で係合爪４８を係合孔３９に係合させると、取り付け部４７、係合爪４８により表示基板３６を固定できる。このため取り付けネジ等は不要になる。
【００４３】
図１２、図１３は本発明の第３の実施例を例示する。この実施例では、普通入賞手段２０に統合演出用表示部を構成する表示素子３７を組み込んだものである。普通入賞手段２０は遊技球が入賞可能な球通路３３を部品本体３４に備えている。球通路３３は前飾り板４０の前側で上向きに開口する入賞口３３ａに連通し、また入賞口３３ａから球通路３３を経て遊技盤１０の裏側で遊技球を排出する排出口３３ｂに連通している。
【００４４】
このような普通入賞手段２０の場合でも、部品本体３４の入賞口３３ａ側に球検出スイッチ３５があるため、その入賞口３３ａの左右両側に発光部４２を備え、また発光部４２の裏側に表示素子３７が装着された表示基板３６を設ける等、第１、第２の実施例と同様に統合演出用表示部を設けることが可能である。
【００４５】
以上、本発明の各実施例について詳述したが、本発明はこれらの実施例に限定されるものではなく、本発明の趣旨を逸脱しない範囲で種々の変更が可能である。実施例では遊技部品として普通図柄始動手段１７、普通入賞手段２０を例示しているが、特別図柄始動手段１８、その他の入賞手段等でも同様に実施可能である。その場合の遊技部品は、遊技盤１０の前側で入った遊技球を球通路３３を経て遊技盤１０の前側へと戻すようにしたものでもよい。
【００４６】
また球通路３３が部品本体３４内で遊技球を左右方向又は前後方向に案内する通路部を有し、その通路部に球検出スイッチ３５を設ける等した場合には、統合演出用表示部の表示素子３７は球検出スイッチ３５の上下両側に跨がって上下方向に直線状に配置してもよい。
【００４７】
統合演出用表示部は球検出スイッチ３５の両側に跨がって配置された複数の表示素子３７を表示基板３６に装着して構成されているが、各表示素子３７は球検出スイッチ３５の両側に跨がって直線状に配列する他、上側に沿って左右方向に波線状に配列する等、統合演出の対象と整合するように配置すればよい。また統合演出以外の単独での表示演出用として利用してもよい。
【００４８】
部品本体３４の裏側に取り付け部４６，４７を介して表示基板３６を固定する場合、表示基板３６に係合する係合爪４８を取り付け部４６，４７の後端に設けてもよい。また各取り付け部４６，４７に対して共にネジで表示基板３６を固定するようにしてもよい。取り付け部４６，４７は３個以上の複数でもよい。本発明はパチンコ機以外の各種の弾球遊技機においても同様に実施可能である。
【図面の簡単な説明】
【００４９】
【図１】本発明の第１の実施例を示すパチンコ機全体の正面図である。
【図２】同遊技盤の正面図である。
【図３】同普通図柄始動手段の背面側分解斜視図である。
【図４】同普通図柄始動手段の前面側分解斜視図である。
【図５】同普通図柄始動手段の正面図である。
【図６】同普通図柄始動手段の平面断面図である。
【図７】同普通図柄始動手段の背面図である。
【図８】図５のＡ−Ａ線断面図である。
【図９】図５のＢ−Ｂ線断面図である。
【図１０】本発明の第２の実施例を示す普通図柄始動手段の分解斜視図である。
【図１１】同普通図柄始動手段の平面断面図である。
【図１２】本発明の第３の実施例を示す普通入賞手段の側面断面図である。
【図１３】同普通入賞手段の平面断面図である。
【符号の説明】
【００５０】
１０  遊技盤
１７  普通図柄始動手段
２０  普通入賞手段
３３  球通路
３４  部品本体
３５  球検出スイッチ
３６  表示基板
３７  表示素子
４０  前飾り板
４３  周壁部
４４  スイッチ保持溝
４５  係止爪
４６，４７  取り付け部
４８  係合爪
５３  ネジ
５４  位置決め突起
【図１】
0004797037.tif 000002
【図２】
0004797037.tif 000003
【図３】
0004797037.tif 000004
【図４】
0004797037.tif 000005
【図５】
0004797037.tif 000006
【図６】
0004797037.tif 000007
【図７】
0004797037.tif 000008
【図８】
0004797037.tif 000009
【図９】
0004797037.tif 000010
【図１０】
0004797037.tif 000011
【図１１】
0004797037.tif 000012
【図１２】
0004797037.tif 000013
【図１３】
0004797037.tif 000014